(57)【要約】      （修正有）【課題】火災情報報知機能を有する構内交換機及び内線端末において、特定の電話機へ火災発生場所と消火設備の余剰情報を提供する。【解決手段】構内交換機１０は、無線内線電話機７００−ａまたは有線内線電話機２００−ａ、２００−ｂ、２００−ｃと火災センサ３００−ａ、３００−ｂ、３００−ｃと消火機器検出器５００−ａ、５００−ｂ、５００−ｃを収容した火災発生情報と連動する構内交換機であって、火災センサや有線内線電話機の各々の異常を判定する内線異常検知手段１０３と、消火設備を敷設ルートと関連付けして記憶する消火設備情報記憶手段１０７と、火災センサや有線内線電話機の各々の敷設ルートを記憶する敷設ルート記憶手段１０４と、通報する火災情報報知手段１０８を有し、異常を検出した場合敷設ルートと対応付けられた場所を火災発生場所とし、発生場所を含む火災情報と消火機器の余剰情報を所定の内線電話端末又は所定の宛先に通報する。【選択図】図１
2010199928.tif 000002
【特許請求の範囲】
【請求項１】
少なくとも構内に敷設された複数の有線内線を収容する構内交換機において、
構内の火災発生に係わる情報を受信する火災発生情報受信手段と、前記有線内線または前記有線内線に繋がる内線端末の異常を検知する内線異常検知手段と、前記有線内線の各々の敷設ルートを記憶する敷設ルート記憶手段と、火災発生に係わる情報を報知する火災情報報知手段を有し、
前記火災発生情報受信手段が火災発生に係わる情報を受信すると共に、前記内線異常検知手段が前記有線内線または前記有線内線に繋がる内線端末の異常を検知した場合に、
前記火災情報報知手段は、前記敷設ルート記憶手段を参照して前記内線異常検知手段が異常を検知した前記有線内線または前記有線内線に繋がる内線端末の敷設ルートを特定し、前記特定した敷設ルートの場所に係る情報を含む火災情報を所定の内線端末または所定の宛先に報知することを特徴とする火災情報報知機能を有する構内交換機。
【請求項２】
請求項１に記載の構内交換機において、
前記敷設ルート記憶手段は、前記有線内線の敷設ルートと関連付けて消火設備に係る情報を記憶する消火設備情報記憶手段をさらに有し、
前記火災情報報知手段は、前記特定した敷設ルートと関連付けられた消火設備に係る情報を含む火災情報を所定の内線端末または所定の宛先に報知することを特徴とする火災情報報知機能を有する構内交換機。
【請求項３】
請求項１または２に記載の構内交換機において、
前記内線異常検知手段は、予め定められたコマンドを前記有線内線の各々に送信し、前記有線内線に繋がる内線端末から、前記コマンドに対応する応答コマンドを所定の時間が経過しても受信しなかった場合に、当該有線内線または前記有線内線に繋がる内線端末は異常であると検知することを特徴とする火災情報報知機能を有する構内交換機。
【請求項４】
請求項１から３のいずれかに記載の構内交換機において、
自交換機に接続された内線端末の音声モニタ機能を起動又は制御する音声モニタ起動制御手段をさらに有し、
前記火災情報報知手段は、前記特定した敷設ルートまたは前記特定した敷設ルートの近傍の敷設ルートの有線内線に繋がる内線端末の音声モニタ機能を起動し、当該内線端末からのモニタ音声を報知先に中継することを特徴とする火災情報報知機能を有する構内交換機。
【請求項５】
請求項１から４のいずれかに記載の構内交換機に繋がる内線端末であって、
前記構内交換機から予め定められたコマンドを受信した場合に、前記コマンドに対応する応答コマンドを所定の時間が経過する以前に前記構内交換機へ送信することを特徴とする内線端末。
【発明の詳細な説明】
【技術分野】
【０００１】
本発明は、火災情報報知機能を有する構内交換機及び内線端末に関するものである。
【背景技術】
【０００２】
事業所やオフィスビル、学校などの火災通報装置は、１カ所で集中管理され非常事態の際には、特定の者がその管理場所に行き火災発生場所を確認後、構内放送を使って従業員や生徒に避難誘導を行っていた。
【０００３】
しかしこの場合、火災発生場所によって使用出来なくなる避難経路や１カ所の非常口に人が殺到したり、火災情報を入手するため電話による通信の輻輳により不通となる問題が考えられた。
【０００４】
この改善策として、防災センサで検出した情報より防災装置にて出火場所と避難経路を構内交換機へ通知し、その情報をディジタルコードレスを携帯する者へ送信することで迅速かつ適切な避難誘導が可能な避難誘導装置の技術が例えば特許文献１に記載されている。
【先行技術文献】
【特許文献】
【０００５】
【特許文献１】特開平１０−２７５２８９
【発明の概要】
【発明が解決しようとする課題】
【０００６】
しかしながら、上記の技術は避難を優先した方法であり、ディジタルコードレスを携帯しなかった場合、その火災情報は取得出来ないものであった。
【０００７】
本発明の課題は、火災に関わる出火場所や近傍の情報、その周辺の消火設備の余剰情報を特定の内線端末へ送ることで初期消火を迅速に行うための火災情報報知機能を有する構内交換機及び内線端末を提供することにある。
【課題を解決するための手段】
【０００８】
第１の本発明は、少なくとも構内に敷設された複数の有線内線を収容する構内交換機において、構内の火災発生に係わる情報を受信する火災発生情報受信手段と、前記有線内線または前記有線内線に繋がる内線端末の異常を検知する内線異常検知手段と、前記有線内線の各々の敷設ルートを記憶する敷設ルート記憶手段と、火災発生に係わる情報を報知する火災情報報知手段を有し、前記火災発生情報受信手段が火災発生に係わる情報を受信すると共に、前記内線異常検知手段が前記有線内線または前記有線内線に繋がる内線端末の異常を検知した場合に、前記火災情報報知手段は、前記敷設ルート記憶手段を参照して前記内線異常検知手段が異常を検知した前記有線内線または前記有線内線に繋がる内線端末の敷設ルートを特定し、前記特定した敷設ルートの場所に係る情報を含む火災情報を所定の内線端末または所定の宛先に報知することを特徴とする。
【０００９】
第２の本発明は、上記第１の本発明のおける構内交換機において、前記敷設ルート記憶手段は、前記有線内線の敷設ルートと関連付けて消火設備に係る情報を記憶する消火設備情報記憶手段をさらに有し、前記火災情報報知手段は、前記特定した敷設ルートと関連付けられた消火設備に係る情報を含む火災情報を所定の内線端末または所定の宛先に報知することを特徴とする。
【００１０】
第３の本発明は、上記第１または第２の本発明のおける構内交換機において、前記内線異常検知手段は、予め定められたコマンドを前記有線内線の各々に送信し、前記有線内線に繋がる内線端末から、前記コマンドに対応する応答コマンドを所定の時間が経過しても受信しなかった場合に、当該有線内線または前記有線内線に繋がる内線端末は異常であると検知することを特徴とする。
【００１１】
第４の本発明は、上記第１から第３のいずれかの本発明のおける構内交換機において、自交換機に接続された内線端末の音声モニタ機能を起動又は制御する音声モニタ起動制御手段をさらに有し、前記火災情報報知手段は、前記特定した敷設ルートまたは前記特定した敷設ルートの近傍の敷設ルートの有線内線に繋がる内線端末の音声モニタ機能を起動し、当該内線端末からのモニタ音声を報知先に中継することを特徴とする。
【００１２】
第５の本発明は、上記第１から第４のいずれかの本発明のおける構内交換機において、前記構内交換機から予め定められたコマンドを受信した場合に、前記コマンドに対応する応答コマンドを所定の時間が経過する以前に前記構内交換機へ送信することを特徴とする。
【発明の効果】
【００１３】
本発明によれば、特定の者が火災の出火場所とその周辺の音声情報、最寄の消火設備の余剰情報を内線端末より取得できるため、消火活動に必要な情報をより迅速に提供できる。
【図面の簡単な説明】
【００１４】
【図１】本発明による火災情報報知機能を有する構内交換機及び内線端末の実施形態の構成図である。
【図２】敷設ルート記憶手段にて管理されるデータの一例を示す図である。
【図３】火災情報報知手段にて送信され、無線内線電話機に表示される火災発生情報表示の一例を示す図である。
【図４Ａ】本発明による火災情報報知機能を有する構内交換機の実施形態の動作フローチャートの一例を示す図である。
【図４Ｂ】本発明による火災情報報知機能を有する構内交換機の実施形態の動作フローチャートの一例を示す図である。
【図５】本発明による火災情報報知機能を有する構内交換機に接続される内線端末の実施形態の動作フローチャートの一例を示す図である。
【発明を実施するための形態】
【００１５】
以下、本発明の実施の形態を、図面を参照して説明する。
【００１６】
図１において、火災情報報知機能を有する構内交換機は、外線および内線と接続される構内交換機１０と構内交換機１０に内線接続される有線内線電話機２００−ａ、２００−ｂ、２００−ｃと火災センサ３００−ａ、３００−ｂ、３００−ｃと消火機器検出器５００−ａ、５００−ｂ、５００−ｃと内線無線接続装置６００−ａ、６００−ｂと有線端末である内線無線接続装置６００−ａ、６００−ｂに無線接続される内線端末として、無線内線電話機７００−ａからなる。
【００１７】
構内交換機１０はＰＳＴＮ（Ｐｕｂｌｉｃ  Ｓｗｉｔｃｈｅｄ  Ｔｅｌｅｐｈｏｎｅ  Ｎｅｔｗｏｒｋｓ）またはＩＰ網９００と接続される。
【００１８】
構内交換機１０は、有線内線端末と接続される内線Ｉ／Ｆ１０１を具備しており、内線Ｉ／Ｆ１０１には、有線内線電話機２００−ａ、２００−ｂ、２００−ｃと火災センサ３００−ａ、３００−ｂ、３００−ｃと内線無線接続装置６００−ａ、６００−ｂと消火機器検出器５００−ａ、５００−ｂ、５００−ｃが有線接続される。
【００１９】
中央制御装置１０２は、構内交換機１０での通常の交換機が具備する例えば内線通話機能や外線通話機能の他、火災発生情報受信手段１０５や内線異常検知手段１０３、火災情報放置手段１０８、敷設ルート記憶手段１０４、音声モニタ起動制御手段１０６をそれぞれ制御する機能を有する。
【００２０】
火災発生情報受信手段１０５は、内線Ｉ／Ｆ１０１に繋がる有線内線端末の火災発生に関わる情報を受信する機能を有しており、内線異常検知手段１０３では予め定められたコマンドを有線内線端末の各々に送信しており、有線内線端末よりコマンドに対応する応答コマンドが受信されないとその応答の無い有線内線端末を異常と検知する。
【００２１】
有線内線電話機２００−ａ、２００−ｂ、２００−ｃや内線無線接続装置６００−ａ、６００−ｂは、構内交換機１０から予め定められたコマンドを受信すると所定の時間以内に応答コマンドを送信する。
【００２２】
火災センサ３００−ａ、３００−ｂ、３００−ｃは、構内交換機１０から予め定められたコマンドを受信すると所定の時間以内に応答コマンドを送信する他に、火災センサに具備するセンサにて火災を検知すると同時に構内交換機１０へ異常信号を送信する機能を具備する。
【００２３】
内線異常検知手段１０３にて、特定の有線内線端末の異常を検知した場合に、火災情報報知手段１０８は敷設ルート記憶手段１０４を参照する。
【００２４】
敷設ルート記憶手段１０４には、例えば図２で示す様に構内交換機１０に接続される有線内線端末の各々の敷設ルートを記憶する手段と有線内線端末の敷設ルートと関連付けした消火設備に関わる情報である消火設備情報記憶手段１０７を具備し、内線無線接続装置６００−ａ、６００−ｂに位置登録される無線内線電話機７００−ａの情報は所定の時間間隔で更新される。
【００２５】
消火設備情報記憶手段１０７は、消火設備に関わる情報を有線内線端末の敷設ルートと関連付けして記憶しており、消火機器検出器５００−ａ、５００−ｂ、５００−ｃの消火設備の有り、無しの情報は所定の時間間隔で更新される。
【００２６】
消火機器検出器５００−ａ、５００−ｂ、５００−ｃは、消火用具の有り無しを検出する検出器を具備しており、その情報を構内交換機１０へ送信し、消化設備情報記憶手段１０７にて記憶する。図１では消火設備を消火器４００−ａ、４００−ｂ、４００−ｃとしているが、消火栓のホースとしても良い。
【００２７】
火災情報報知手段１０８は、敷設ルート記憶手段１０８より取得した情報より火災発生場所を特定し、敷設ルートの場所に関わる情報やそれに関連付けされた消火設備に関わる情報を所定の内線端末または所定の宛先に報知する。所定の宛先に報知する方法は、音声による自動音声案内方法の他、例えば図３に示す様に文字情報による報知方法を具備する。
【００２８】
内線無線接続装置６００−ａ、６００−ｂは、無線内線電話機７００−ａと無線接続される接続装置であり、例えば無線アクセスポイントや構内ＰＨＳの接続装置であり、火災情報報知手段１０８より送信された火災情報を帰属する無線内線電話機７００−ａへ音声通信や例えば図３に示す様な文字情報を送信する。
【００２９】
無線内線電話機７００−ａは、内線無線接続装置６００−ａ、６００−ｂと無線接続される無線携帯端末であり、通常の携帯電話端末が具備するダイヤル機能や画面表示、音声通信のほか火災情報報知手段１０８より送信された火災情報を表示画面に例えば図３に閉める様に表示する機能を有する。
【００３０】
音声モニタ起動制御手段１０６は火災情報報知手段１０８により起動され、敷設ルート記憶手段１０４により特定した敷設ルート付近または近傍の有線内線端末の音声モニタ機能を起動し、その音声モニタを報知先の端末に中継する機能である。
【００３１】
次に、本発明における火災通報報知機能を有する構内交換機及び内線端末の具体的な動作例を説明する。
【００３２】
図１において、会議室Ｃ９０−ｃにて火災が発生した場合を例に説明する。
【００３３】
火災の発生を火災センサ３００−ｃにて検出した場合、火災センサ３００−ｃは、構内交換機１０へ送信し、それを火災発生情報受信手段１０５にて受信し内線異常検知手段１０３にて異常か否かを判定する。
【００３４】
火災により内線異常検知手段１０３にて有線内線電話機２００−ｃからの応答コマンドが無い場合は、内線異常検知手段１０３にて異常状態を検出する。
【００３５】
内線異常検知手段１０３にて火災センサ３００−ｃまたは有線内線電話機２００−ｃのいずれかの異常を検出した中央制御装置１０２は、敷設ルート記憶手段１０４を参照し、火災発生場所や消火設備情報を特定する。敷設ルート記憶手段１０４は、例えば図２で示す情報が記憶されているため、火災発生現場の近くに位置する無線内線電話機７００−ａへ火災情報報知手段１０８にて接続を行う。火災情報報知手段１０８での伝達手段は、例えば図３に示す。
【００３６】
情報を無線内線電話機の表示画面へ表示するか、構内交換機１０と通話路を形成し自動音声メッセージにて「火災発生。場所は、会議室Ｃで消化設備は会議室Ｃの前にあります。」といった案内を行っても良い。
【００３７】
出火現場に到着した無線内線電話機７００−ａを所持する者は、消火器４００−ｃを持ち出し消火活動を行う。その際、消火機器検出機５００−ｃは消火機器が持ち上げられたことを検出し、構内交換機１０へ送信しする。受信されたデータは、敷設ルート記憶手段１０４内の消化設備情報記憶手段にてループＣの会議室Ｃ消火機器余剰情報をなしに上書きし記憶する。内線異常検知手段１０３は上書きされた敷設ルート記憶手段１０４の情報を参照し、その更新された情報を火災情報報知手段１０８により、無線内線電話機７００−ａをはじめとする他の特定電話機へ送信される。
【００３８】
火災発生時に無線内線電話機が周囲になかった場合、火災情報報知手段１０８は、特定の有線内線電話機へ火災情報の送信を行う。
【００３９】
図４Ａ、図４Ｂは、本発明における構内交換機１０の動作フローチャートの一例を示す図である。
【００４０】
構内交換機１０は、例えば火災センサ３００−ａ、３００−ｂ、３００−ｃから異常信号を受信していない場合（Ｓ４０１、ＮＯ）、内線異常検知手段１０３は有線内線電話機２００−ａ、２００−ｂ、２００−ｃへ特定のコマンドを送信する（Ｓ４０２）。内線異常検知手段１０３は有線内線電話機２００−ａ、２００−ｂ、２００−ｃから所定の時間内に応答コマンドを受信した場合（Ｓ４０３、ＹＥＳ）、（Ｓ４０１）の処理に戻る。所定の時間内に応答コマンドを受信しなかった場合（Ｓ４０３、ＮＯ）や火災センサの異常信号を検知した場合（Ｓ４０１、ＹＥＳ）、内線異常検知手段１０３は敷設ルート記憶手段１０４を参照し、例えば図２で示すような記憶データより火災発生場所や周辺の内線電話端末、消火設備の余剰状態を取得する（Ｓ４０４）。
【００４１】
敷設ルート記憶手段１０４の情報より、火災発生場所周辺に無線内線電話機がある場合（Ｓ４０５、ＹＥＳ）、火災情報報知手段１０８は特定の無線内線電話機へ例えば図３で示す様な情報を送る（Ｓ４０６）。
【００４２】
（Ｓ４０６）にて情報を送信後、火災情報報知手段１０８は音声モニタ起動制御手段１０６にて特定した敷設ルートまたは特定した敷設ルート近傍の有線内線電話機の音声モニタを起動し、モニタ音声を通報先の端末へ中継する（Ｓ４０７）。
【００４３】
火災発生場所周辺に無線内線電話機が無い場合（Ｓ４０５，ＮＯ）、特定の有線内線電話機を呼出し（Ｓ４１０）、応答があれば（Ｓ４１１、ＹＥＳ）音声モニタ起動制御手段１０６により特定した敷設ルートまたは特定した敷設ルート近傍の有線内線電話機の音声モニタを起動し（Ｓ４１２）、火災情報報知手段１０８より火災情報の送信とモニタ音声の中継を行う（Ｓ４１３）。
【００４４】
（Ｓ４１１）にて応答がなかった場合（Ｓ４１１、ＮＯ）、（Ｓ４０５）の処理に戻る。
【００４５】
（Ｓ４０８）では、消火機器検出器５００−ａ、５００−ｂ、５００−ｃからの情報を取得し、消火設備の余剰状況に更新情報があれば（Ｓ４０８、ＹＥＳ）  敷設ルート記憶手段１０４内の消火設備情報記憶手段１０７へデータを上書きにて更新し（Ｓ４１４）、特定の無線内線電話機へ更新した情報を再送信する（Ｓ４１５）。
【００４６】
（Ｓ４０８）にて消火機器の余剰状況に更新が無く（Ｓ４０８、ＮＯ）、火災発生から所定の時間が経過した場合は終了（Ｓ４０９、ＹＥＳ）する。所定の時間内であれば（Ｓ４０９、ＮＯ）、（Ｓ４０８）の処理に戻る。
【００４７】
図５は、本発明における内線電話機の動作フローチャートの一例を示す図である。
【００４８】
有線内線電話機２００−ａ、２００−ｂ、２００−ｃは、通常の着信信号を受信した場合（Ｓ５００、ＹＥＳ）、応答し（Ｓ５０１）通話へ移行する（Ｓ５０２）。その後、電話機に具備するフックスイッチによる切断や切断信号を受信（Ｓ５０３）すると終了する。
【００４９】
通常の着信信号ではなく（Ｓ５００、ＮＯ）、特定コマンドを受信した場合（Ｓ５０４、ＹＥＳ）所定の時間内に構内交換機１０へ応答コマンドを送信する（Ｓ５０５）。
【００５０】
（Ｓ５０４）にて特定のコマンドではなく（Ｓ５０４、ＮＯ）、音声モニタ起動制御用の信号であった場合（Ｓ５０６、ＹＥＳ）、端末に具備するマイクをＯＮにし音声モニタを開始し（Ｓ５０７）、その後の切断信号の受信（Ｓ５０３）により自動的に終了する。
【００５１】
予め定められたコマンドの受信でなかった場合（Ｓ５０６、ＮＯ）は終了する。
【符号の説明】
【００５２】
１０：構内交換機、１０１：内線Ｉ／Ｆ、１０２：中央制御装置、１０５：火災発生情報受信手段、１０３：内線異常検知手段、１０８：火災情報報知手段、１０４：敷設ルート記憶手段、１０７：消火設備情報記憶手段、１０６：音声モニタ起動制御手段、９００：ＰＳＴＮ／ＩＰ網、３００−ａ、３００−ｂ、３００−ｃ：火災センサ、２００−ａ、２００−ｂ、２００−ｃ：内線電話機、４００−ａ、４００−ｂ、４００−ｃ：消火器、５００−ａ、５００−ｂ、５００−ｃ：消火機器検出器、６００−ａ、６００−ｂ：内線無線接続装置、７００−ａ：無線内線電話機、９０−ａ、９０−ｂ、９０−ｃ：会議室
【図１】
2010199928.tif 000003
【図２】
2010199928.tif 000004
【図３】
2010199928.tif 000005
【図４Ａ】
2010199928.tif 000006
【図４Ｂ】
2010199928.tif 000007
【図５】
2010199928.tif 000008